Podtech/llm-jp-corpus-v4-ja_patent huggingface dataset:
【手続補正書】
【提出日】平成29年4月5日(2017.4.5)
【手続補正１】
【補正対象書類名】明細書
【補正対象項目名】００５８
【補正方法】変更
【補正の内容】
【００５８】
以上、本明細書において特定の実施形態について例示及び説明してきたが、当業者であれば、本開示の範囲から逸脱することなく、様々な代替的実施形態を、例示及び説明した特定の実施形態に対して使用できる点を認識するであろう。本出願は、本明細書で論じた特定の実施形態の如何なる改作又は変型をも包含することを意図したものである。
［１］  多層太陽電池デバイスであって、
反射体と、
前記反射体に隣接して配置された複数の太陽電池と、
前記反射体に対向する面上にあり、前記複数の太陽電池に隣接して配置された部分透過性グラフィックフィルムと、
を含み、前記反射体と前記複数の太陽電池とが第１の間隙により分離され、前記部分透過性グラフィックフィルムと前記複数の太陽電池とが第２の間隙により分離されており、かつ前記複数の太陽電池が相互に離間されていて、前記反射体の開放区域が前記複数の太陽電池で被覆されないようになっている、多層太陽電池デバイス。
［２］  前記部分透過性グラフィックフィルムが、前記部分透過性グラフィックフィルムの約１０％〜約７０％の第１の主表面を被覆するグラフィックを含む、上記態様１に記載の多層太陽電池デバイス。
［３］  前記反射体が総前面面積Ａｔを有し、前記複数の太陽電池で被覆されていない前記反射体の開放区域が面積Ａｏを有し、且つＡｏ／Ａｔが少なくとも０．０５である、上記態様１に記載の多層太陽電池デバイス。
［４］  前記複数の太陽電池が上面上及び下面上に活性区域を有する、上記態様１に記載の多層太陽電池デバイス。
［５］  前記第１の間隙又は前記第２の間隙のうちの少なくとも１つが封入材を含む、上記態様１に記載の多層太陽電池デバイス。
［６］  前記第１の間隙又は前記第２の間隙のうちの少なくとも１つがガラス層を含む、上記態様１に記載の多層太陽電池デバイス。
［７］  前記第１の間隙又は前記第２の間隙のうちの少なくとも１つが、前記多層太陽電池デバイスの平面に対し平行な方向に前記光の移送を増加させる光方向変換要素を含む、上記態様１に記載の多層太陽電池デバイス。
［８］  前記反射体が半鏡面反射体を含む、上記態様１に記載の多層太陽電池デバイス。
［９］  前記反射体が白色の拡散反射体を含む、上記態様１に記載の多層太陽電池デバイス。
［１０］  前記部分透過性グラフィックフィルムが、グラフィックフィルム層と反射層とを有する有孔ラミネートを含む、上記態様１に記載の多層太陽電池デバイス。
［１１］  前記部分透過性グラフィックフィルムが、半透明のグラフィックフィルム層と部分反射層とを有する半透明のラミネートを含む、上記態様１に記載の多層太陽電池デバイス。
［１２］  前記第２の間隙が、前記複数の太陽電池に隣接する第１の材料を含み、前記第１の材料が屈折率ｎ１を有し、第２の材料が、前記第１の材料と前記部分透過性グラフィックフィルムとの間に配置されており、前記第２の材料が屈折率ｎ２を有し、ｎ１がｎ２に等しいか又はそれより大きい、上記態様１に記載の多層太陽電池デバイス。
［１３］  太陽電池と；
前記太陽電池に隣接するスペクトル的に選択性のある反射体と；
前記太陽電池に対向する前記スペクトル的に選択性のある反射体に隣接するディフューザと；
前記スペクトル的に選択性のある反射体に対向する前記ディフューザに隣接するグラフィックス層と；
を含む、多層太陽電池デバイス。
［１４］  前記スペクトル的に選択性のある反射体が多層ポリマーフィルムである、上記態様１３に記載の多層太陽電池デバイス。
［１５］  前記スペクトル的に選択性のある反射体が有孔である、上記態様１３に記載の多層太陽電池デバイス。
［１６］  前記ディフューザがビーズ含有ディフューザ層を含む、上記態様１３に記載の多層太陽電池デバイス。
［１７］  前記ディフューザが、屈折率が１．３５未満である層を含む、上記態様１３に記載の多層太陽電池デバイス。
［１８］  前記グラフィックス層が、前記スペクトル的に選択性のある反射体に対向する前記ディフューザの表面上に印刷パターンを含む、上記態様１３に記載の多層太陽電池デバイス。
［１９］  前記グラフィックス層が印刷された透明基材を含む、上記態様１３に記載の多層太陽電池デバイス。
［２０］  前記グラフィックス層が着色接着剤を含む、上記態様１３に記載の多層太陽電池デバイス。
［２１］  前記グラフィックス層が、前記ディフューザに隣接する印刷層及び前記ディフューザに対向する保護層を含む、上記態様１３に記載の多層太陽電池デバイス。
［２２］  前記グラフィックス層がエンボスパターンを含む、上記態様１３に記載の多層太陽電池デバイス。
【手続補正２】
【補正対象書類名】特許請求の範囲
【補正対象項目名】全文
【補正方法】変更
【補正の内容】
【特許請求の範囲】
【請求項１】
多層太陽電池デバイスであって、
反射体と、
前記反射体に隣接して配置された複数の太陽電池と、
前記反射体に対向する面上にあり、前記複数の太陽電池に隣接して配置された部分透過性グラフィックフィルムと、
を含み、前記反射体と前記複数の太陽電池とが第１の間隙により分離され、前記部分透過性グラフィックフィルムと前記複数の太陽電池とが第２の間隙により分離されており、かつ前記複数の太陽電池が相互に離間されていて、前記反射体の開放区域が前記複数の太陽電池で被覆されないようになっており、
前記部分透過性グラフィックフィルムが、グラフィックフィルム層と反射層とを有する有孔ラミネートを含む、多層太陽電池デバイス。
【請求項２】
太陽電池と；
前記太陽電池に隣接するスペクトル的に選択性のある反射体と；
前記太陽電池に対向する前記スペクトル的に選択性のある反射体に隣接するディフューザと；
前記スペクトル的に選択性のある反射体に対向する前記ディフューザに隣接するグラフィックス層と；
を含み、
前記スペクトル的に選択性のある反射体が可視光の透過率５０％以下を有する、多層太陽電池デバイス。
【請求項３】
前記スペクトル的に選択性のある反射体が多層ポリマーフィルムである、請求項２に記載の多層太陽電池デバイス。
【請求項４】
前記スペクトル的に選択性のある反射体が有孔である、請求項２に記載の多層太陽電池デバイス。
【請求項５】
前記ディフューザが、屈折率が１．３５未満である層を含む、請求項２に記載の多層太陽電池デバイス。
【請求項６】
前記グラフィックス層が、前記スペクトル的に選択性のある反射体に対向する前記ディフューザの表面上に印刷パターンを含む、請求項２に記載の多層太陽電池デバイス。
【請求項７】
前記グラフィックス層がエンボスパターンを含む、請求項２に記載の多層太陽電池デバイス。
【請求項８】
前記可視光の透過率が２０％〜５０％である、請求項２に記載の多層太陽電池デバイス。
【手続補正書】
【提出日】平成29年3月3日(2017.3.3)
【手続補正１】
【補正対象書類名】特許請求の範囲
【補正対象項目名】全文
【補正方法】変更
【補正の内容】
【特許請求の範囲】
【請求項１】
Wnt経路の調節で使用される化合物であって、該化合物は構造(I) 
【化１】
2016519165.tif 000001
（式中:
R1、R2、R3、R4およびR5はそれぞれ独立して、Hまたはアルキル基であって；
Dは、H、ハロゲン、アルキル、シクロアルキル、アリールおよびジアルキルアミノからなる群から選択されて、それぞれ(Hとハロゲン以外)は任意に置換されており；
ArはCyおよびアミド窒素原子以外の置換基を有さない1又は2個の窒素原子を有する6員のヘテロアリール環であり、これらは前記環上に1,4-関係にあり；
Cyは、アリール、ヘテロアリールまたは、少なくとも1つのヘテロ原子を含む飽和環であって、それぞれ任意に置換されており；かつ
nは1から3までの整数である。）
を有する化合物。
【請求項２】
n=1であり、かつ、R3およびR4の一つがメチルであり他方がHである場合において、化合物の立体化学が部分構造(II) 
【化２】
2016519165.tif 000002
で示される請求項1の化合物。
【請求項３】
Cyが0〜2個の窒素原子、0または1個の硫黄原子、および0または1個の酸素原子を有する、5または6員芳香環である、請求項１または２の化合物。
【請求項４】
DがHである、請求項１〜３のいずれか一項の化合物。
【請求項５】
R1およびR2が両方ともメチルであって、R3、R4、R5およびDはすべてHであって、かつ、nは1である、請求項１〜４のいずれか一項の化合物。
【請求項６】
R3およびR4が、両方ともHであるか、または両方ともメチルのいずれかである、あるいは、Ｒ３およびＲ４の一方がＨ、かつもう一方がメチルまたはエチルである、請求項１〜５のいずれか一項の化合物。
【請求項７】
下記のうちの1つである請求項１〜６のいずれか一項の化合物:
【化３】
2016519165.tif 000003
【化４】
2016519165.tif 000004
【化５】
2016519165.tif 000005
【請求項８】
【化６】
2016519165.tif 000006
である、請求項１の化合物。
【請求項９】
無水形である請求項８の化合物。
【請求項１０】
非水和の単一の多形体である、請求項９の化合物。
【請求項１１】
Wnt経路活性に関連した疾病または症状の治療のための薬剤の製造における、請求項１〜１０のいずれか一項に記載の化合物の使用。
【請求項１２】
1つ以上の薬学的に許容可能なキャリヤー、希釈剤または補助剤とともに、請求項１〜１０のいずれか一項に記載の化合物を含む薬学的組成物。
【手続補正２】
【補正対象書類名】明細書
【補正対象項目名】０３０４
【補正方法】変更
【補正の内容】
【０３０４】
【化１０６】
2016519165.tif 000007
ステップ1:(S)-エチル2-(1,3-ジメチル-2,6-ジオキソ-2,3-ジヒドロ-1H-プリン-7(6H)-イル)プロパノアートの作製。
中間生成物は記載されるような光延条件を使用して作製された。1H NMR(400MHz、CDCl3)δ(ppm):7.75(s、1H)、5.63-5.58(q、J=6.8Hz、1H)、4.26-4.24(q、J=6.8Hz、2H)、3.61(s、3H)、3.39(s、3H)、1.86-1.84(d、J=6.8Hz、3H)、1.29-1.25(t、J=6.8Hz、3H）。LC-MS:m/z 281.4(M+H)、純度32%。
【手続補正３】
【補正対象書類名】明細書
【補正対象項目名】０３３４
【補正方法】変更
【補正の内容】
【０３３４】
【化１２６】
2016519165.tif 000008
ステップ1:(S)-エチル 2-(1,3,8-トリメチル-2,6-ジオキソ-2,3-ジヒドロ-1H-プリン-7(6H)-イル)プロパノアートの作製。
中間生成物は記載されるような光延反応条件を使用して作製された。1HNMR(400MHz; CDCl3)δ(ppm):5.50(q、J = 7.2Hz、1H)、4.11(q、J = 3.6Hz、2H)、3.41(s、3H)、3.19(s、3H)、2.46(s、3H)、1.66(d、J = 7.2Hz、3H)、1.14(t、J = 7.2Hz、3H）。 LC-MS:57.79%(望まれた)の純度でm/z 295.1(M+H)。 LCM: m/z 279(M+H)、純度31%。
【手続補正４】
【補正対象書類名】明細書
【補正対象項目名】０３３６
【補正方法】変更
【補正の内容】
【０３３６】
【化１２８】
2016519165.tif 000009
ステップ3:(S)-N-(4-(チアゾール-2-イル)フェニル)-2-(1,3,8-トリメチル-2,6-ジオキソ-2,3-ジヒドロ-1H-プリン-7(6H)-イル)プロパンアミドの作製。
【手続補正５】
【補正対象書類名】明細書
【補正対象項目名】０３８４
【補正方法】変更
【補正の内容】
【０３８４】
【化１６２】
2016519165.tif 000010
ステップ1:(S)-エチル 2-(1,3-ジメチル-2,6-ジオキソ-2,3-ジヒドロ-1H-プリン-7(6H)-イル)プロパノアートの作製。
中間生成物は記載されるような光延反応条件を使用して作製された。1HNMR(400MHz; DMSO-d6)δ(ppm):7.76(s、1H)、5.62(q、J = 7.6Hz、1H)、4.25(q、J = 6.8Hz、2H)、3.61(s、3H)、3.39(s、3H)、1.85(d、J = 7.6Hz、3H)、1.29(d、J = 7.2Hz、3H）。 MS(ESI):m/z 281[M+ H]+。 LC-MS:m/z 281(M+H)、純度48%。 
【手続補正６】
【補正対象書類名】明細書
【補正対象項目名】０３８８
【補正方法】変更
【補正の内容】
【０３８８】
【化１６５】
2016519165.tif 000011
ステップ1:(R)-エチル2-(1,3-ジメチル-2,6-ジオキソ-2,3-ジヒドロ-1H-プリン-7(6H)-イル)プロパノアートの作製。
中間生成物は記載されるような光延反応条件を使用して作製された。1HNMR(400MHz; DMSO-d6)δ(ppm):7.76(s、1H)、5.62(q、J = 7.6Hz、1H)、4.25(q、J = 6.8Hz、2H)、3.61(s、3H)、3.39(s、3H)、1.85(d、J = 7.6Hz、3H)、1.29(d、J = 7.2Hz、3H）。 MS(ESI):m/z 281[M+ H]+。 LC-MS:m/z 281(M+H)、純度48%。
【誤訳訂正書】
【提出日】平成29年3月27日(2017.3.27)
【誤訳訂正１】
【訂正対象書類名】特許請求の範囲
【訂正対象項目名】全文
【訂正方法】変更
【訂正の内容】
【特許請求の範囲】
【請求項１】
それぞれの場合、それぞれの組成物の固体含有量に対して、
（Ａ）メチルグリシンジ酢酸（ＭＧＤＡ）、グルタミン酸ジアセテート（ＧＬＤＡ）及びそれらの塩から選択される少なくとも一種の化合物を、合計で、１〜５０質量％の範囲、
（Ｂ）亜鉛として記載される少なくとも一種の亜鉛塩を、合計で、０．０１〜０．４質量％の範囲、
（Ｃ）エチレンイミンのホモ−又はコポリマーを、合計で、０．００１〜０．０４５質量％の範囲、及び
（Ｄ）任意に、漂白剤を、０．５〜１５質量％
を含む組成物。
【請求項２】
前記組成物が、ホスフェート及びポリホスフェートを含まないことを特徴とする請求項１に記載の組成物。
【請求項３】
（Ｃ）が、直鎖状又は分岐状のエチレンイミンのホモポリマー及び、エチレンイミンのグラフトコポリマーから選択されることを特徴とする請求項１又は２に記載の組成物。
【請求項４】
前記亜鉛塩が、ＺｎＣｌ２、ＺｎＳＯ４、酢酸亜鉛、クエン酸亜鉛、Ｚｎ（ＮＯ３）２、Ｚｎ（ＣＨ３ＳＯ３）２及び、没食子酸亜鉛からなる群から選択されることを特徴とする請求項１〜３の何れか１項に記載の組成物。
【請求項５】
前記組成物が、室温で固体であることを特徴とする請求項１〜４の何れか１項に記載の組成物。
【請求項６】
前記組成物が、水を、０．１〜１０質量％の範囲で含むことを特徴とする請求項１〜５の何れか１項に記載の組成物。
【請求項７】
前記組成物が、酸素漂白剤及び塩素含有漂白剤から選択される漂白剤（Ｄ）を、０．５〜１５質量％含むことを特徴とする請求項１〜６の何れか１項に記載の組成物。
【請求項８】
食器及び調理器具を機械洗浄するための請求項１〜７の何れか１項に記載の組成物の使用方法。
【請求項９】
装飾されていてもよく、又は装飾されていなくてもよい少なくとも一つのガラス表面を有する物品を機械洗浄するための請求項１〜７の何れか１項に記載の組成物の使用方法。
【請求項１０】
前記機械洗浄が、食器洗い機を使用するウォッシング又はクリーニング動作であることを特徴とする請求項８又は９に記載の使用方法。
【請求項１１】
請求項１〜７の何れか１項に記載の少なくとも１種の組成物が、飲料用グラス、ガラス製の花瓶及び料理用のガラス製容器の機械洗浄のために使用されることを特徴とする請求項８〜１０の何れか１項に記載の使用方法。
【請求項１２】
（Ａ）メチルグリシンジ酢酸（ＭＧＤＡ）、グルタミン酸ジアセテート（ＧＬＤＡ）及びそれらのアルカリ金属塩から選択される少なくとも一種の化合物、
（Ｂ）少なくとも一種の亜鉛塩、
（Ｃ）少なくとも一種のエチレンイミンのホモ−又はコポリマー、
（Ｄ）及び、任意に、酸素漂白剤及び塩素含有漂白剤から選択される少なくとも一種の漂白剤、
及び、任意に他の成分が、水の存在下で、１つ以上の工程で互いに混合され、その後、前記水が除去されることを特徴とする請求項１〜７の何れか１項に記載の組成物の製造方法。
【請求項１３】
前記水が、噴霧乾燥、噴霧造粒又は圧縮によって除去されることを特徴とする請求項１２に記載の方法。
【誤訳訂正２】
【訂正対象書類名】明細書
【訂正対象項目名】００９９
【訂正方法】変更
【訂正の内容】
【００９９】
好ましくは、装飾されていても装飾されていなくてもよい少なくとも１つのガラス表面を有する物品を機械洗浄するために本発明の組成物を使用することである。これに関連して、本発明において、ガラス製の表面は、当物品が、大気中の空気と接触し、その物品を使用するときに汚れる可能性のあるガラス製の少なくとも一部分を有することを意味するものとして理解される。従って、当物品は、飲料用グラス又はガラス製の皿のように、基本的にガラス製の物品でもよい。しかしながら、それらは、例えば、他の材料でできている独立した構成要素を有する蓋、例えば、金属製の縁と取っ手を有する鍋の蓋であってもよい。
【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
次式を有する量子ドット結合用リガンド；及び
ＩｎＰ発光量子ドット（ＱＤ）の第１の母集団
を含む組成物。
【化１】
2016519175.tif 000001
（ここで、
各Ｒ1a、Ｒ1b、Ｒ2及びＲ4は独立してＨ、Ｃ1−20アルキル、Ｃ1−20ヘテロアルキル、Ｃ2−20アルケニル、Ｃ2−20アルキニル、シクロアルキル及びアリールより成る群から選択され；
各Ｒ3a及びＲ3bは独立してＨ及びＣ1−6アルキルより成る群から選択され；
下付文字ｍ及びｎはそれぞれ独立して０又は１であって、ｍ＋ｎは１であり；そして
下付文字ｐは５〜約５００の整数であり、
ここで、
下付文字ｍが０の時はＲ1a及びＲ1bの少なくとも一方がＨであり且つＲ2がＣ8−20アルキル、Ｃ8−20ヘテロアルキル、Ｃ8−20アルケニル、Ｃ8−20アルキニル、シクロアルキル及びアリールより成る群から選択され、
下付文字ｍが１の時はＲ1a及びＲ2が共にＨであり且つＲ1bがＣ8−20アルキル、Ｃ8−20ヘテロアルキル、Ｃ8−20アルケニル、Ｃ8−20アルキニル、シクロアルキル及びアリールより成る群から選択される。）
【請求項２】
下付文字ｐが７０〜８０である、請求項１に記載の組成物。
【請求項３】
Ｒ2がＣ8−20アルキルであり、
下付文字ｐが７０〜８０である、請求項１に記載の組成物。
【請求項４】
Ｒ2がＣ１８アルキルである、請求項１に記載の組成物。
【請求項５】
次の構造を有する、請求項１に記載の組成物。
2016519175.tif 000002
【請求項６】
Ｒ1a、Ｒ1b及びＲ2の内の少なくとも１つがＨであり；そして
Ｒ1a、Ｒ1b及びＲ2の内の少なくとも１つが独立してＣ8−20アルキル、Ｃ8−20ヘテロアルキル、Ｃ8−20アルケニル、Ｃ8−20アルキニル、シクロアルキル及びアリールより成る群から選択される、請求項１に記載の組成物。
【請求項７】
Ｒ1a、Ｒ1b及びＲ2の内の少なくとも１つがＣ8−20アルキルである、請求項１に記載の組成物。
【請求項８】
Ｒ1a、Ｒ1b及びＲ2の内の少なくとも１つが独立してオクタン、ノナン、デカン、ウンデカン、ドデカン、トリデカン、テトラデカン、ペンタデカン、ヘキサデカン、ヘプタデカン、オクタデカン、ノナデカン及びアイコサンより成る群から選択される、請求項１に記載の組成物。
【請求項９】
Ｒ1a、Ｒ1b及びＲ2の内の少なくとも１つが独立してテトラデカン、ヘキサデカン、オクタデカン及びアイコサンより成る群から選択される、請求項１に記載の組成物。
【請求項１０】
下付文字ｐが１０〜１００である、請求項１に記載の組成物。
【請求項１１】
下付文字ｍが０であり且つ下付文字ｎが１である、請求項１に記載の組成物。
【請求項１２】
次の構造を有する、請求項１１に記載の組成物。
【化３】
2016519175.tif 000003
【請求項１３】
次の構造を有する、請求項１１に記載の組成物。
【化４】
2016519175.tif 000004
【請求項１４】
Ｒ2がＣ8−20アルキル、Ｃ8−20ヘテロアルキル、Ｃ8−20アルケニル、Ｃ8−20アルキニル、シクロアルキル及びアリールより成る群から選択される、請求項１１に記載の組成物。
【請求項１５】
Ｒ2がＣ8−20アルキルである、請求項１１に記載の組成物。
【請求項１６】
下付文字ｐが２５〜１００である、請求項１１に記載の組成物。
【請求項１７】
下付文字ｍが１であり且つ下付文字ｎが０である、請求項１に記載の組成物。
【請求項１８】
次の構造を有する、請求項１７に記載の組成物。
【化５】
2016519175.tif 000005
【請求項１９】
次の構造を有する、請求項１７に記載の組成物。
【化６】
2016519175.tif 000006
【請求項２０】
Ｒ1bがＣ8−20アルキル、Ｃ8−20ヘテロアルキル、Ｃ8−20アルケニル、Ｃ8−20アルキニル、シクロアルキル及びアリールより成る群から選択される、請求項１７に記載の組成物。
【請求項２１】
Ｒ1bがＣ8−20アルキルである、請求項１７に記載の組成物。
【請求項２２】
下付文字ｐが１０〜５０である、請求項１７に記載の組成物。
【請求項２３】
ＩｎＰ発光量子ドットがコア−シェル量子ドットである、請求項１の組成物。
【請求項２４】
コア−シェル量子ドットがＩｎＰ／ＺｎＳである、請求項２３の組成物。
【請求項２５】
量子ドット結合用リガンドがＩｎＰ発光量子ドットに結合している、請求項１の組成物。
【手続補正書】
【提出日】平成29年2月10日(2017.2.10)
【手続補正１】
【補正対象書類名】特許請求の範囲
【補正対象項目名】全文
【補正方法】変更
【補正の内容】
【特許請求の範囲】
【請求項１】
ヒドロコロイド組成物であって、
疎水性不飽和エラストマーポリマーと、
ヒドロコロイド吸収剤と、
ポリアルキレンエーテル基が結合した不飽和ポリマー骨格を含む親水性ポリマーと、を含み、
前記親水性ポリマーが、前記ヒドロコロイド組成物のＷＶＴＲを、前記親水性ポリマーを含まない同じヒドロコロイド組成物と比較して上昇させる量で存在する、ヒドロコロイド組成物。
【請求項２】
前記疎水性ポリマー及び前記親水性ポリマーが架橋されて部分不飽和を含む架橋マトリックスを有する組成物を提供する、請求項１に記載のヒドロコロイド組成物。
【請求項３】
疎水性不飽和エラストマーホモポリマーと、
粘着付与剤と、
天然ヒドロコロイド、半合成ヒドロコロイド、合成ヒドロコロイド、及びこれらの組み合わせの群から選択されるヒドロコロイド吸収剤と、
ポリアルキレンエーテル基が結合した不飽和ポリマー骨格を含む親水性ポリマーと、を含み、
前記疎水性ポリマー及び前記親水性ポリマーが５〜２００ｋＧｙのガンマ線によって架橋されて架橋マトリックスを有する接着剤組成物を提供する、請求項１に記載のヒドロコロイド組成物。
【請求項４】
ヒドロコロイド組成物であって、
２０〜５０重量％の疎水性不飽和エラストマーホモポリマーと、
５〜６０重量％のヒドロコロイド吸収剤と、
０．５〜２０重量％の、ポリアルキレンエーテル基が結合した不飽和ポリマー骨格を含む親水性ポリマーと、を含み、
前記ヒドロコロイド組成物が、感圧性接着剤の形態であり、
前記親水性ポリマーが、前記ヒドロコロイド組成物のＷＶＴＲを、前記親水性ポリマーを含まない同じヒドロコロイド組成物と比較して上昇させる量で存在する、ヒドロコロイド組成物。
【請求項５】
透湿性裏地の表面にコーティングされた、請求項１又は４に記載のヒドロコロイド組成物を含む、創傷包帯。
【手続補正書】
【提出日】平成29年3月13日(2017.3.13)
【手続補正１】
【補正対象書類名】明細書
【補正対象項目名】００７９
【補正方法】変更
【補正の内容】
【００７９】
３−｛（２−ヒドロキシ−エチル）−［４−（６−ニトロ−ベンゾチアゾール−２−イルアゾ）−フェニル］−アミノ｝−プロピオニトリルの合成：
２５０ｍＬのフラスコ内で、ジクロロ酢酸：氷酢酸の５：１（体積）溶液６６ｍＬに２−アミノ−６−ニトロベンゾチアゾール５．００グラム（２５．６ｍｍｏｌ）を添加し、１５分間かけて５０℃に加熱することによって溶解させた。溶液を０℃に冷却し、次いで、１０分間恒常的に撹拌しながら、０℃で保持された濃硫酸１３ｍＬ中亜硝酸ナトリウム１．９４グラム（２８．１ｍｍｏｌ）の溶液を収容している２５０ｍＬのフラスコにゆっくりと添加した。更に３０分間撹拌した後、この溶液を、これも０℃で保持された１３ｍＬの酢酸中Ｎ−（２−シアノエチル）−Ｎ−（２−ヒドロキシエチル）アニリン４．２０グラム（２２．１ｍｍｏｌ）の混合物を収容している２５０ｍＬのフラスコにゆっくりと添加し、１時間撹拌した。次いで、反応混合物のｐＨが約７になるまで炭酸ナトリウム飽和水溶液を添加することによって、反応混合物を中和し、得られた沈殿を真空濾過によって単離した。沈殿を塩化メチレン２００ｍＬに溶解させ、次いで、無水硫酸ナトリウムの床に通すことによって乾燥させ、濾過し、ロータリーエバポレータで濃縮した。３×２３ｃｍのシリカゲルカラムにロードし、次いで、溶媒の体積比を１０：９０から３０：７０に徐々に変化させたアセトン：塩化メチレン溶液で溶出することによって、得られた固体を更に精製した。純粋化合物を含有している後続画分を合わせ、減圧下で濃縮し、次いで、約２１℃で０．３ｍｍ水銀（４０．０Ｐａ）の真空下で乾燥させて、４．３０グラムの紫色の固体を得、これは、後にＮＭＲ分光法によって３−｛（２−ヒドロキシ−エチル）−［４−（６−ニトロ−ベンゾチアゾール−２−イルアゾ）−フェニル］−アミノ｝−プロピオニトリルであることが確認された。［１Ｈ  ＮＭＲ（５００ＭＨｚ，ｄ６−ＤＭＳＯ）δ  ９．０７（ｄ，Ｊ＝２．４Ｈｚ，１Ｈ），８．３２（ｄｄ，Ｊ＝２．４，８．９Ｈｚ，１Ｈ），８．１７（ｄ，Ｊ＝８．９Ｈｚ，１Ｈ），７．９１（ｄ，Ｊ＝９．４Ｈｚ，２Ｈ），７．１１（ｄ，Ｊ＝９．４Ｈｚ，２Ｈ），４．９９（ｔ，Ｊ＝５．１Ｈｚ，１Ｈ），３．９５（ｔ，Ｊ＝７．１Ｈｚ，２Ｈ），３．６９（ｍ，４Ｈ），２．９１（ｔ，Ｊ＝６．９Ｈｚ，２Ｈ）］。
【手続補正２】
【補正対象書類名】特許請求の範囲
【補正対象項目名】全文
【補正方法】変更
【補正の内容】
【特許請求の範囲】
【請求項１】
以下の式によって表される化合物：
【化１】
2016519176.tif 000001
（式中、
Ｒは、水素又はアルキルであり、
Ｘは、アルキレンであり、
Ｙは、結合、エーテル、チオエーテル、アミン、アミド、エステル、チオエステル、カーボネート、チオカーボネート、カルバメート、チオカルバメート、尿素、チオ尿素、アルキレン、アリールアルキレン、アルキルアリーレン、又はアリーレンであって、アルキレン、アリールアルキレン、アルキルアリーレン、及びアリーレンは、任意で、エーテル、チオエーテル、アミン、アミド、エステル、チオエステル、カーボネート、チオカーボネート、カルバメート、チオカルバメート、尿素、又はチオ尿素のうちの少なくとも１つによって中断又は終端のうちの少なくとも１つをされ、
Ｚは、アクリレート、メタクリレート、アクリルアミド、メタクリルアミド、スチレニル、又は少なくとも３個の炭素原子を有する末端アルケニルである）。
【請求項２】
Ｚが、アクリレート、メタクリレート、又はスチレニルである、請求項１に記載の化合物。
【請求項３】
Ｙが、結合、−Ｏ−、−Ｏ−Ｃ（Ｏ）−、−Ｏ−Ｃ（Ｏ）−ＮＲ１−、又は任意に少なくとも１つのエーテル、エステル、カーボネート、若しくはカルバメートによって中断若しくは終端のうちの少なくとも１つをされるアルキレンであり、Ｒ１が、水素、アルキル、アリール、アリールアルキレニル、又はアルキルアリーレニルである、請求項１又は２に記載の化合物。
【請求項４】
−Ｘ−Ｙ−Ｚが、−ＣＨ２ＣＨ２−Ｏ−Ｃ（Ｏ）−ＣＨ＝ＣＨ２、
−ＣＨ２ＣＨ２−Ｏ−Ｃ（Ｏ）−Ｃ（ＣＨ３）＝ＣＨ２、又は−ＣＨ２ＣＨ２−Ｏ−Ｃ（Ｏ）−Ｃ６Ｈ４−ＣＨ＝ＣＨ２である、請求項１〜３のいずれか１項に記載の化合物。
【請求項５】
請求項１〜４のいずれか１項に記載の化合物と、フリーラジカル開始剤と、希釈剤とを含む、組成物。
【請求項６】
請求項１〜４のいずれか１項に記載の化合物と硬化性ポリマー樹脂もしくは硬化性モノマーのうち少なくとも１種とを含む、組成物。
【請求項７】
前記硬化性ポリマー樹脂が、不飽和ポリエステル樹脂又はビニルエステル樹脂である、請求項６に記載の組成物。
【請求項８】
スチレンモノマー、置換スチレンモノマー、アクリレートモノマー、メタクリレートモノマー、アクリルアミドモノマー、又はメタクリルアミドモノマーのうちの少なくとも１つを更に含む、請求項６又は７に記載の組成物。
【請求項９】
セラミックビーズ、ポリマービーズ、シリカ、中空セラミック素子、中空ポリマー素子、アルミナ、ジルコニア、マイカ、ドロマイト、ウォラストナイト（woolasonite）、繊維、タルク、炭酸カルシウム、メタホウ酸ナトリウム、又は粘土のうちの少なくとも１つを更に含む、請求項６〜８のいずれか１項に記載の組成物。
【請求項１０】
硬化性ポリマー樹脂における硬化を示す方法であって、
硬化性ポリマー樹脂と、フリーラジカル開始剤と、４００ナノメートル〜７００ナノメートルの波長に第１の吸光度を有する組成物を提供するのに十分な量の請求項１〜４いずれか１項に記載の化合物とを含む組成物を提供することと、
前記組成物を硬化させて、前記第１の吸光度とは異なる波長に第２の吸光度を有する硬化組成物を提供すること、とを含む方法。
【手続補正書】
【提出日】平成29年5月9日(2017.5.9)
【手続補正１】
【補正対象書類名】特許請求の範囲
【補正対象項目名】全文
【補正方法】変更
【補正の内容】
【特許請求の範囲】
【請求項１】
対象の末梢血中への前駆細胞および／または幹細胞の動員に使用する、平均分子量の範囲が４５００〜７０００Ｄａのデキストラン硫酸またはその薬学的に許容される塩。
【請求項２】
前記前駆細胞および／または幹細胞が、コロニー形成単位−顆粒球、赤血球、単球、巨核球、ＣＦＵ−ＧＥＭＭおよび赤芽球バースト形成細胞ＢＦＵ−Ｅからなる群より選択されるコロニー形成細胞である、請求項１に記載の使用ためのデキストラン硫酸またはその薬学的に許容される塩。
【請求項３】
対象の血流中への標的白血球、特にリンパ球の動員に使用する、平均分子量の範囲が４５００〜７０００Ｄａのデキストラン硫酸またはその薬学的に許容される塩。
【請求項４】
平均分子量の範囲が４５００〜５５００Ｄａである、請求項１〜３のいずれかに記載の使用のためのデキストラン硫酸またはその薬学的に許容される塩。
【請求項５】
平均硫黄含有量が１５〜２０％の範囲内にあり、好ましくは約１７％である、請求項１〜４のいずれかに記載の使用のためのデキストラン硫酸またはその薬学的に許容される塩。
【請求項６】
水性注射液として処方される、請求項１〜５のいずれかに記載の使用のためのデキストラン硫酸またはその薬学的に許容される塩。
【請求項７】
前記対象の体重１ｋｇ当たり０．１〜５０ｍｇの範囲内、好ましくは前記対象の体重１ｋｇ当たり１〜５０ｍｇの範囲内、より好ましくは前記対象の体重１ｋｇ当たり５〜２５ｍｇの範囲内の用量で投与されるよう処方される、請求項１〜６のいずれかに記載の使用のためのデキストラン硫酸またはその薬学的に許容される塩。
【請求項８】
前記ヒト対象の前記血流中に前記細胞が動員される時点の前に約０時間〜約６時間以内の間隔を置いてヒト対象に投与されるよう処方される、請求項１〜７のいずれかに記載の使用のためのデキストラン硫酸またはその薬学的に許容される塩。
【請求項９】
前記ヒト対象の前記血流中に前記細胞が動員される前記時点の前に約０時間〜約４時間以内の間隔を置いて前記ヒト対象に投与されるよう処方される、請求項８に記載の使用のためのデキストラン硫酸またはその薬学的に許容される塩。
【請求項１０】
前記対象の前記末梢血中に前記細胞を動員するのに顆粒球コロニー刺激因子Ｇ−ＣＳＦと併用するよう処方される、請求項１〜９のいずれかに記載の使用のためのデキストラン硫酸またはその薬学的に許容される塩。
【請求項１１】
前記Ｇ−ＣＳＦが、前記対象の前記血流中に前記細胞が動員される時点の２〜４日前に１回または２回、好ましくはこれに加えて前記対象の前記血流中に前記細胞が動員される前記時点の当日に、前記対象に投与するよう処方される、請求項１０に記載の使用のためのデキストラン硫酸またはその薬学的に許容される塩。
【請求項１２】
前記デキストラン硫酸またはその薬学的に許容される塩は、さらに、前記対象の前記血流中に肝細胞増殖因子ＨＧＦを誘導する、請求項１〜１１のいずれかに記載の使用のためのデキストラン硫酸またはその薬学的に許容される塩。
【請求項１３】
平均分子量の範囲が４５００〜７０００Ｄａのデキストラン硫酸またはその薬学的に許容される塩と、顆粒球コロニー形成刺激因子Ｇ−ＣＳＦとを含む、細胞動員組成物。
【請求項１４】
水性溶媒をさらに含む、請求項１３に記載の組成物。
【請求項１５】
薬物として使用する、請求項１３または１４に記載の細胞動員組成物。
【請求項１６】
対象の末梢血中への前駆細胞および／または幹細胞の動員に使用する、請求項１３または１４に記載の細胞動員組成物。
【請求項１７】
対象の血流中への標的白血球、特にリンパ球の動員に使用する、請求項１３または１４に記載の細胞動員組成物。
【手続補正書】
【提出日】平成29年5月1日(2017.5.1)
【手続補正１】
【補正対象書類名】特許請求の範囲
【補正対象項目名】全文
【補正方法】変更
【補正の内容】
【特許請求の範囲】
【請求項１】
経口投与による医薬として使用するためのGLP-1ペプチド及びエンハンサーを含む固体組成物であって、
a)前記ペプチドは、ヒトにおいて少なくとも60時間の血漿内半減期を有し、
b)前記組成物は、少なくとも3回投与され、
c)前記組成物は、ヒトにおける前記ペプチドの日数での血漿内半減期と前記組成物の日数での投薬間隔との間の比が2:1超であるように投与される、組成物。
【請求項２】
前記組成物が、1日おき又はそれ超の頻度で投与される、請求項1に記載の組成物。
【請求項３】
前記組成物が、1日2回、1日1回、又は1日おきに投与される、請求項2に記載の組成物。
【請求項４】
前記組成物が、錠剤の形態である、請求項1から3のいずれか一項に記載の組成物。
【請求項５】
前記組成物が、少なくとも5回投与される、請求項1から4のいずれか一項に記載の組成物。
【請求項６】
前記エンハンサーが、N-(8-(2-ヒドロキシベンゾイル)アミノ)カプリル酸の塩である、請求項1から5のいずれか一項に記載の組成物。
【請求項７】
前記N-(8-(2-ヒドロキシベンゾイル)アミノ)カプリル酸の塩が、SNACである、請求項6に記載の組成物。
【請求項８】
SNACの量が、100〜500mgのSNACであり、又はSNACの量が、前記組成物の50〜90%(w/w)である、請求項7に記載の組成物。
【請求項９】
SNACの量が、200〜400mgである、請求項8に記載の組成物。
【請求項１０】
SNACの量が、300mgである、請求項9に記載の組成物。
【請求項１１】
前記エンハンサーが、カプリン酸の塩である、請求項1から10のいずれか一項に記載の組成物。
【請求項１２】
前記ペプチドが、ヒトにおいて少なくとも72時間の血漿内半減期を有する、請求項1から11のいずれか一項に記載の組成物。
【請求項１３】
前記ペプチドが、0.01〜100mgの量で投与される、請求項1から12のいずれか一項に記載の組成物。
【請求項１４】
前記組成物が、1〜100mgのGLP-1ペプチド及び100〜500mg又は50〜90%(w/w)のSNACを含む、請求項1から13のいずれか一項に記載の組成物。
【請求項１５】
前記組成物が、1〜100mgのGLP-1ペプチド、100〜500mgのSNAC、微結晶性セルロース、ポビドン、及びステアリン酸マグネシウムを含む、請求項1から14のいずれか一項に記載の組成物。
【請求項１６】
前記ペプチドが、セマグルチドまたはNε26{2-[2-(2-{2-[2-(2-{(S)-4-カルボキシ-4-[10-(4-カルボキシフェノキシ)デカノイル-アミノ]ブチリルアミノ}エトキシ)エトキシ]アセチルアミノ}エトキシ)エトキシ]アセチル}、Nε37{2-[2-(2-{2-[2-(2-{(S)-4-カルボキシ-4-[10-(4-カルボキシフェノキシ)デカノイルアミノ]ブチリルアミノ}エトキシ)エトキシ]アセチルアミノ}エトキシ)エトキシ]アセチル}-[Aib8,Arg34,Lys37]GLP-1(7-37)-OHである、請求項1から15のいずれか一項に記載の組成物。
【請求項１７】
前記ペプチドが、セマグルチドである、請求項16に記載の組成物。
【請求項１８】
前記組成物が、1〜100mgのセマグルチド及び100〜500mg若しくは50〜90%(w/w)のSNACを含み、又は前記組成物が、2〜60mgのセマグルチド及び200〜400mgのSNACを含む、請求項1から17のいずれか一項に記載の組成物。
【請求項１９】
前記組成物が、2〜40mgのセマグルチド及び200〜400mgのSNACを含む、請求項1から18のいずれか一項に記載の組成物。
【請求項２０】
前記組成物が、1種又は複数の薬学的に許容される添加剤を更に含む、請求項1から19のいずれか一項に記載の組成物。
【請求項２１】
前記錠剤の重量が、150mg〜1000mgの範囲、例えば、300〜600mg又は例えば、300〜500mgの範囲である、請求項4から20のいずれか一項に記載の組成物。
【請求項２２】
前記組成物が、糖尿病及び/又は肥満症の治療又は予防における使用のためのものである、請求項1から21のいずれか一項に記載の組成物。
【請求項２３】
前記組成物が、2型糖尿病の治療又は予防における使用のためのものである、請求項22に記載の組成物。
【請求項２４】
前記組成物が、肥満症の治療又は予防における使用のためのものである、請求項22に記載の組成物。
【手続補正書】
【提出日】平成29年4月26日(2017.4.26)
【手続補正１】
【補正対象書類名】特許請求の範囲
【補正対象項目名】全文
【補正方法】変更
【補正の内容】
【特許請求の範囲】
【請求項１】
安定な抗体製剤であって、
式ＶＬ１−リンカー−ＶＬ２の軽鎖および式ＶＨ１−リンカー−ＶＨ２の重鎖を含み、ＶＬ１およびＶＨ１はＩＬ−１３抗原結合ドメインを形成し、ＶＬ２およびＶＨ２はＩＬ−４抗原結合ドメインを形成する、二特異的抗ＩＬ−４／抗ＩＬ−１３抗体またはその抗原結合断片；ならびに
製剤のｐＨを約ｐＨ７に維持するのに適するバッファー系；
を含み、製剤のイオン強度を低減するために１５ｍＭ以下の塩濃度を有し、そしてマンニトールを含む、前記抗体製剤。
【請求項２】
ＶＬ１は、配列番号１のＣＤＲ配列を含み；
ＶＨ１は、配列番号２のＣＤＲ配列を含み；
ＶＬ２は、配列番号３のＣＤＲ配列を含み；
ＶＨ２は、配列番号４または５のＣＤＲ配列を含む、
請求項１に記載の製剤。
【請求項３】
ＶＬ１は、配列番号１のアミノ酸配列を含み；
ＶＨ１は、配列番号２のアミノ酸配列を含み；
ＶＬ２は、配列番号３のアミノ酸配列を含み；
ＶＨ２は、配列番号４または５のアミノ酸配列を含む、
請求項１に記載の製剤。
【請求項４】
軽鎖は式Ｎ−ＶＬ１−リンカー−ＶＬ２−ＣＬを含み、ＣＬは抗体の軽鎖定常ドメインであり、重鎖は式Ｎ−ＶＨ１−リンカー−ＶＨ２−ＣＨ１−ＣＨ２−ＣＨ３を含み、ＣＨ２−ＣＨ３は抗体のＦｃドメインに対応する、請求項１に記載の製剤。
【請求項５】
リンカーが配列番号６のアミノ酸配列を含む、請求項１〜４のいずれか１項に記載の製剤。
【請求項６】
抗体またはその抗原結合断片が定常領域ドメインをさらに含む、請求項１〜５のいずれ
か１項に記載の製剤。
【請求項７】
定常領域ドメインが、ＣＨ１、ＣＨ２、ＣＨ３およびＣＬからなる群から選択される、請求項６に記載の製剤。
【請求項８】
二特異的抗体またはその抗原結合断片が、ヒト化ＩｇＧ４二特異的抗体またはその抗原結合断片である、請求項１に記載の製剤。
【請求項９】
抗体またはその抗原結合断片の濃度が約１００ｍｇ／ｍＬである、請求項１〜８のいずれか１項に記載の製剤。
【請求項１０】
バッファー系が少なくとも２つのバッファーを含む、請求項１〜９のいずれか１項に記載の製剤。
【請求項１１】
バッファー系の濃度が約１０ｍＭである、請求項１〜１０のいずれか１項に記載の製剤。
【請求項１２】
バッファー系がＴｒｉｓバッファーおよびリン酸バッファーを含む、請求項１０に記載の製剤。
【請求項１３】
Ｔｒｉｓバッファーの濃度が約３．７ｍＭである、請求項１２に記載の製剤。
【請求項１４】
リン酸バッファーの濃度が約６．３ｍＭである、請求項１２に記載の製剤。
【請求項１５】
Ｔｒｉｓバッファーの濃度が約３．７ｍＭであり、リン酸バッファーの濃度が約６．３ｍＭである、請求項１２に記載の製剤。
【請求項１６】
非イオン性界面活性剤をさらに含む、請求項１〜１５のいずれか１項に記載の製剤。
【請求項１７】
非イオン性界面活性剤の濃度が約０．０５％〜約０．２％（ｗ／ｖ）である、請求項１６に記載の製剤。
【請求項１８】
非イオン性界面活性剤がポリソルベートである、請求項１６に記載の製剤。
【請求項１９】
ポリソルベートがポリソルベート８０である、請求項１８に記載の製剤。
【請求項２０】
ポリソルベート８０の濃度が約０．０５％〜約０．２％（ｗ／ｖ）である、請求項１９に記載の製剤。
【請求項２１】
ポリソルベート８０の濃度が約０．２％（ｗ／ｖ）である、請求項２０に記載の製剤。
【請求項２２】
糖をさらに含む、請求項１〜２１のいずれか１項に記載の製剤。
【請求項２３】
糖の濃度が約５％（ｗ／ｖ）である、請求項２２に記載の製剤。
【請求項２４】
糖が二糖である、請求項２２に記載の製剤。
【請求項２５】
二糖がスクロースである、請求項２４に記載の製剤。
【請求項２６】
スクロースの濃度が約５％（ｗ／ｖ）である、請求項２５に記載の製剤。
【請求項２７】
マンニトールの濃度が約１％から約３％（ｗ／ｖ）である、請求項１〜２６のいずれか１項に記載の製剤。
【請求項２８】
マンニトールの濃度が約３％（ｗ／ｖ）である、請求項２７に記載の製剤。
【請求項２９】
凍結乾燥製剤である、請求項１〜２８のいずれか１項に記載の製剤。
【請求項３０】
眼に見える粒子、眼に見えない粒子、低分子量タンパク質および高分子量タンパク質に関して優れた安定性を示す、請求項１〜２９のいずれか１項に記載の製剤。
【請求項３１】
安定な凍結乾燥抗体製剤であって、
配列番号２および４のアミノ酸配列を含む重鎖可変領域ならびに配列番号１および３のアミノ酸配列を含む軽鎖可変領域を含む、約１００ｍｇ／ｍＬの二特異的抗体またはその抗原結合断片；
約３．７ｍＭのＴｒｉｓバッファー濃度および約６．３ｍＭのリン酸バッファー濃度を含む、約１０ｍＭのバッファー系；
約０．２％（ｗ／ｖ）のポリソルベート８０；
約５％（ｗ／ｖ）のスクロース；ならびに
約３％（ｗ／ｖ）のマンニトール；
を含み、製剤のｐＨは約ｐＨ７である、前記凍結乾燥抗体製剤。
【請求項３２】
請求項１〜３１のいずれか１項に記載の製剤を含む容器ならびに製剤の投与および使用のための指示書を含むキット。
【請求項３３】
アレルギー性疾患、がん、喘息、ＩＬ−４および／もしくはＩＬ−１３の異常な生成に関連する疾患、または上昇したＴＨ−２によって媒介される応答に関連する疾患を処置するための方法において使用するための、請求項１〜３１のいずれか１項に記載の製剤。
【手続補正書】
【提出日】平成28年11月22日(2016.11.22)
【手続補正１】
【補正対象書類名】特許請求の範囲
【補正対象項目名】全文
【補正方法】変更
【補正の内容】
【特許請求の範囲】
【請求項１】
水性又はアルコール系製剤のレオロジー挙動を変化させる方法であって、前記製剤に単分散グリコーゲン又はフィトグリコーゲンナノ粒子の組成物を添加する工程を含み、前記組成物が、動的光散乱法による測定で約０．３未満の多分散指数を有するか、前記レオロジー挙動における変化が、チキソトロピー挙動又はずり減粘の付与を含むか、又は、前記製剤が、チキソ性であり、前記レオロジー挙動における変化が、復元時間の増加を含むことを特徴とする、方法。
【請求項２】
前記製剤が、少なくとも１種の小分子、ポリマー、バイオポリマー、コロイド粒子又は油の、分散物又は溶液である、請求項１に記載の方法。
【請求項３】
前記製剤が、アルコール系製剤であり、前記アルコールが、エチルアルコール、プロピルアルコール、イソプロピルアルコール、エチレングリコール、プロピレングリコール、ブチレングリコール、ジプロピレングリコール、エトキシジグリコール、グリセロール又はこれらの組み合わせである、請求項２に記載の方法。
【請求項４】
前記組成物の少なくとも約８０乾燥質量％が、約３０ｎｍ〜約１５０ｎｍの平均粒径を有する単分散グリコーゲン又はフィトグリコーゲンナノ粒子である、請求項１〜３のいずれか一項に記載の方法。
【請求項５】
前記単分散グリコーゲン又はフィトグリコーゲンナノ粒子が、化学的に改質されている、請求項１〜４のいずれか一項に記載の方法。
【請求項６】
前記単分散グリコーゲン又はフィトグリコーゲンナノ粒子が、そのヒドロキシル基の少なくとも１つを、カルボニル基、アミン基、チオール基、カルボン酸基又はヒドロカルビル基で化学的官能化することにより化学的に改質されており、前記ヒドロカルビル基が、任意でアルキル、ビニル又はアリル基である、請求項５に記載の方法。
【請求項７】
前記製剤が、天然ガムを含む、請求項１〜６のいずれか一項に記載の方法。
【請求項８】
前記製剤が、食品、化粧料、パーソナルケア製品、機能性食品、医薬品、ローション、ゲル、塗料、被覆剤、インク、潤滑剤、賦形剤、表面皮膜、安定剤又は掘穿泥水である、請求項１〜７のいずれか一項に記載の方法。
【請求項９】
単分散グリコーゲン又はフィトグリコーゲンナノ粒子を含む、水性又はアルコール系製剤のレオロジー挙動を改質するため添加剤であって、前記添加剤が、動的光散乱法による測定で約０．３未満の多分散指数を有するか、前記レオロジー挙動の改質が、チキソトロピー挙動又はずり減粘の付与を含むか、又は、前記製剤が、チキソ性であり、前記レオロジー挙動における変化が、復元時間の増加を含むことを特徴とする、添加剤。
【請求項１０】
前記添加剤の少なくとも約９０乾燥質量％、又は、約９０乾燥質量％が、約３０ｎｍ〜約１５０ｎｍの平均粒径を有する単分散グリコーゲン又はフィトグリコーゲンナノ粒子である、請求項９に記載の添加剤。
【請求項１１】
前記単分散グリコーゲン又はフィトグリコーゲンナノ粒子が、化学的に改質されている、請求項９又は１０に記載の添加剤。
【請求項１２】
前記単分散グリコーゲン又はフィトグリコーゲンナノ粒子が、そのヒドロキシル基の少なくとも１つをカルボニル基、アミン基、チオール基、カルボン酸基又はヒドロカルビル基で化学的官能化することにより化学的に改質されており、任意で、前記ヒドロカルビル基が、アルキル、ビニル又はアリル基である、請求項１１に記載の添加剤。
【請求項１３】
粉末、液体又はゲルの形態である、請求項１０〜１２のいずれか一項に記載の添加剤。
【請求項１４】
請求項９〜１１のいずれか一項に記載の添加剤と水性又はアルコール系製剤とを含む組成物であって、前記水性又はアルコール系製剤が、少なくとも１種の小分子、ポリマー、バイオポリマー、コロイド粒子又は油の、溶液又は分散物であり、前記組成物が、前記添加剤を含有しない同じ組成物と比較して、チキソトロピー挙動又は増加したずり減粘を有するか、又は、前記組成物が、前記添加剤を含有しない同じ組成物と比較して、チキソ性であり、且つ増加した復元時間を有することを特徴とする、組成物。
【請求項１５】
前記組成物が、アルコール系製剤であり、前記アルコールが、エチルアルコール、プロピルアルコール、イソプロピルアルコール、エチレングリコール、プロピレングリコール、ブチレングリコール、ジプロピレングリコール、エトキシジグリコール、グリセロール又はこれらの組み合わせである、請求項１４に記載の組成物。
【請求項１６】
前記添加剤が、前記組成物の約５〜約２５質量／質量％を構成する、請求項１４又は１５に記載の組成物。
【請求項１７】
前記組成物が、天然ガムを含む、請求項１４〜１６のいずれか一項に記載の組成物。
【請求項１８】
前記組成物が、食品、化粧料、パーソナルケア製品、機能性食品、医薬品、ローション、ゲル、塗料、被覆剤、インク、潤滑剤、賦形剤、表面皮膜、安定剤又は掘穿泥水である、請求項１４〜１７のいずれか一項に記載の組成物。
【請求項１９】
前記組成物が、スプレー式化粧料、スプレー式日焼け止め、ヘアスプレー、スプレー式デオドラント剤、スプレー式制汗剤、スプレー式アフターシェーブローション又はスプレー式手指消毒剤から選択されるパーソナルケア製品である、請求項１８に記載の組成物。
【請求項２０】
水性又はアルコール系製剤を安定化する方法、又は、水性又はアルコール系製剤における有機化合物の光安定性を上昇させる方法であって、単分散グリコーゲン又はフィトグリコーゲンナノ粒子を前記製剤に添加する工程を含むことを特徴とする、方法。
【手続補正書】
【提出日】平成29年3月23日(2017.3.23)
【手続補正１】
【補正対象書類名】特許請求の範囲
【補正対象項目名】全文
【補正方法】変更
【補正の内容】
【特許請求の範囲】
【請求項１】
ａ）ｉ）式（Ｉ）
ＨＯ［−ＣＨ２−ＣＨ（ＯＨ）−ＣＨ２−Ｏ］ｎ−Ｈ
（Ｉ）
（式中、ｎは、少なくとも１に等しい整数である）の化合物と、
ｉｉ）非イオン性界面活性剤と、を含む、第１相、及び
ｂ）前記第１相中に分散している第２相であって、前記第１相の体積は、前記第２相の体積よりも大きく、前記第２相は、
ｉ）式（ＩＩ）
ＣＨ２＝Ｃ（Ｒ１）−（ＣＯ）−Ｏ［−ＣＨ２−ＣＨ２−Ｏ］ｐ−（ＣＯ）−Ｃ（Ｒ１）＝ＣＨ２
（ＩＩ）
（式中、
ｐは、少なくとも１に等しい整数であり、
Ｒ１は、水素又はアルキルである）のモノマーを含む、モノマー組成物と、
ｉｉ）少なくとも５００ｇ／モルの重量平均分子量を有するポリ（プロピレングリコール）と、を含む、第２相、を含む、反応混合物。
【請求項２】
ｉ）式（Ｉ）
ＨＯ（−ＣＨ２−ＣＨ（ＯＨ）−ＣＨ２−Ｏ）ｎ−Ｈ
（Ｉ）
（式中、ｎは、少なくとも１に等しい整数である）の化合物と、
ｉｉ）非イオン性界面活性剤と、を含む第１相を調製する工程、
第２相を形成する工程であって、前記第１相の体積は、前記第２相の体積よりも大きく、前記第２相は、
ｉ）式（ＩＩ）
ＣＨ２＝Ｃ（Ｒ１）−（ＣＯ）−Ｏ［−ＣＨ２−ＣＨ２−Ｏ］ｐ−（ＣＯ）−Ｃ（Ｒ１）＝ＣＨ２
（ＩＩ）
（式中、
ｐは、少なくとも１に等しい整数であり、
Ｒ１は、水素又はアルキルである）のモノマーを含む、モノマー組成物と、
ｉｉ）少なくとも５００ｇ／モルの重量平均分子量を有するポリ（プロピレングリコール）と、を含む、工程、
前記第１相中に前記第２相を分散させることにより反応混合物を提供する工程、
前記反応混合物内の前記モノマー組成物を硬化させて重合生成物を形成する工程、及び
前記ポリ（プロピレングリコール）を前記重合生成物から除去して多孔質重合体粒子を形成する工程、を含む、重合体粒子の作製方法。
【請求項３】
反応混合物の重合生成物を含む多孔質重合体粒子であって、前記反応混合物は、
ａ）ｉ）式（Ｉ）
ＨＯ（−ＣＨ２−ＣＨ（ＯＨ）−ＣＨ２−Ｏ）ｎ−Ｈ
（Ｉ）
（式中、ｎは、少なくとも１に等しい整数である）の化合物と、
ｉｉ）非イオン性界面活性剤と、を含む、第１相、及び
ｂ）前記第１相中に分散している第２相であって、前記第１相の体積は、前記第２相の体積よりも大きく、前記第２相は、
ｉ）式（ＩＩ）
ＣＨ２＝Ｃ（Ｒ１）−（ＣＯ）−Ｏ［−ＣＨ２−ＣＨ２−Ｏ］ｐ−（ＣＯ）−Ｃ（Ｒ１）＝ＣＨ２
（ＩＩ）
（式中、
ｐは、少なくとも１に等しい整数であり、
Ｒ１は、水素又はアルキルである）のモノマーを含むモノマー組成物と、
ｉｉ）少なくとも５００ｇ／モルの重量平均分子量を有するポリ（プロピレングリコール）と、を含む、第２相、を含み、
前記ポリ（プロピレングリコール）を前記重合生成物から除去して前記多孔質重合体粒子が提供される、多孔質重合体粒子。
【手続補正書】
【提出日】平成29年3月29日(2017.3.29)
【手続補正１】
【補正対象書類名】特許請求の範囲
【補正対象項目名】全文
【補正方法】変更
【補正の内容】
【特許請求の範囲】
【請求項１】
オメガ−３脂肪酸とカルノシン酸とトマトリコペンとを含む、組成物。
【請求項２】
前記組成物が、フィトエン、フィトフルエン、β−カロテン、トコフェロール、フィトステロール、ルテイン、またはそれらの任意の組み合わせをさらに含む、請求項１に記載の組成物。
【請求項３】
オメガ−３脂肪酸対トマトリコペンのモル濃度比が２０００：１〜１０：１であるか、オメガ−３脂肪酸対カルノシン酸のモル濃度比が１５００：１〜２：１であるか、オメガ−３脂肪酸対トマトリコペン対カルノシン酸のモル濃度比が２０００：１：５〜２：１：１である、請求項１に記載の組成物。
【請求項４】
前記組成物が相乗的抗炎症効果を有する、請求項１に記載の組成物。
【請求項５】
前記組成物が経口組成物である、請求項１に記載の組成物。
【請求項６】
前記オメガ−３脂肪酸が、ドコサヘキサエン酸、エイコサペンタエン酸、またはそれらの組み合わせである、請求項１に記載の組成物。
【請求項７】
炎症を処置するための、オメガ−３脂肪酸とトマトリコペンとを含む組成物の使用。
【請求項８】
オメガ−３脂肪酸対トマトリコペンのモル濃度比が２０００：１〜１０：１である、請求項７に記載の使用。
【請求項９】
前記オメガ−３脂肪酸が、ドコサヘキサエン酸、エイコサペンタエン酸、またはそれらの組み合わせである、請求項８に記載の使用。
【請求項１０】
炎症を処置するための、請求項１〜６のいずれか１項に記載の組成物の使用。